(57)【要約】【課題】  小型で且つ照射角度範囲が広く、ベンディングランプ等の前照灯に適用可能な車両用灯具を提供する。【解決手段】  ベンディングランプ１０は、ランプボディ３とカバー２により形成された灯室１ｄ内に、光を出射する光源１２ａを備えた光源バルブ１２と、光源１２ａから出射した光を反射するリフレクタ１４と、光源光を直接前方に投影する投影レンズ１８と、を備えている。ここで、リフレクタ１４は、光源１２ａからの光を直接車両外に照射する。そして、投影レンズ１８を介して直接投影される光線群Ｌ１の光軸と、リフレクタ１４を介して照射される光線群Ｌ２の光軸とがそれぞれ異なっている。【選択図】  図３
2006260824.tif 000002
【特許請求の範囲】
【請求項１】
ランプボディとカバーにより形成された灯室内に、
光を出射する光源を備えた光源バルブと、
前記光源から出射した光を反射して外部に照射するリフレクタと、
前記光源光を直接前方に投影する投影レンズと、を備え、
前記投影レンズを介して投影される光の光軸と、前記リフレクタを介して照射される光の光軸が異なる方向であることを特徴とする車両用灯具。
【請求項２】
前記光源バルブは、車両幅方向に沿って配置されていることを特徴とする請求項１に記載の車両用灯具。
【請求項３】
前記投影レンズを介して投影される光の光軸は、車両前後方向に対し、１０度〜２０度の角度を為すことを特徴とする請求項１または２に記載の車両用灯具。
【請求項４】
前記リフレクタを介して照射される光は、車両前後方向に対し４度〜８０度拡散した拡散光となるように照射されることを特徴とする請求項１〜３の何れか一項に記載の車両用灯具。
【発明の詳細な説明】
【技術分野】
【０００１】
本発明は、車両用灯具に係り、特に、例えばベンディングランプ等の各種標識等として用いることが可能な車両用灯具に関する。
【背景技術】
【０００２】
一般に、車両には、主として車両進行方向を照射するヘッドランプやベンディングランプ等の前照灯と、車両外の第三者に対して車両の存在や運転者の意志を示すターンシグナルランプ、ストップランプといった複数の標識灯とが設けられている。
【０００３】
例えば、前照灯の一つであるベンディングランプは、車両の旋回時の側方視認性を向上させるランプである。ベンディングランプには、通常、反射面に複数の反射面素子により自由反射曲面が形成された、いわゆるステップリフレクタが多く採用されている。光源バルブを出射した光はこのステップリフレクタに入射し、ステップリフレクタの各反射面素子により反射された光が照射されて、車両の前方、後方、側方等を照らし出す（例えば、特許文献１参照）。
【０００４】
なお、ステップリフレクタを用いると、灯室の前方を覆うカバーは、拡散・屈折等の光学的なレンズ要素を備える必要がなく、光を素通しすればよい。したがって、全体として灯具の外観に透明感が生まれるというデザイン上の利点がある。
【０００５】
一方、照明灯の分野では、近年、プロジェクタタイプの照明装置が用いられる場合もある。プロジェクタタイプは、凸レンズを備え、凸レンズの焦点位置近傍にすれ違いビームの配光パターンを作り出すシェードを設け、このシェードにより形成される配光パターン凸レンズで拡大して投影する。プロジェクタタイプを用いると、カットオフラインを明瞭かつ自由に形成することができ、大光量の光源を用いてもグレアを抑制することが可能である。また、プロジェクタタイプは、ヘッドランプ全体を小型化することも可能であるため、デザイン上の各種要望にも容易に対応することが可能である。
【特許文献１】特開平１０−１６２６０６号公報
【発明の開示】
【発明が解決しようとする課題】
【０００６】
一般に、ベンディングランプ等の前照灯は、デザインの制約等によりヘッドランプ等の照明灯よりも狭い設置スペースにしか配置できないことが多い。したがって、プロジェクタタイプの照明装置をベンディングランプ等の前照灯として用いる場合には、小型のプロジェクタタイプの照明装置をさらに小型化する必要がある。
【０００７】
また、プロジェクタタイプの照明装置は、レンズにより略平行光として前方に光を照射するため、光線の指向性が高く構造上、車両幅方向の照射角度範囲が狭くなってしまう。したがって、ベンディングランプ等の前照灯に適用するためには、この照射角度範囲を拡張するためのなんらかの対策が必要となる。
【０００８】
本発明は、上記事項を鑑み、小型で且つ照射角度範囲の広く、ベンディングランプ等の前照灯に適用可能な車両用灯具を提供することを目的とする。
【課題を解決するための手段】
【０００９】
本発明は、以下の構成により達成される。
（１）  ランプボディとカバーにより形成された灯室内に、
光を出射する光源を備えた光源バルブと、
前記光源から出射した光を反射して外部に照射するリフレクタと、
前記光源光を直接前方に投影する投影レンズと、を備え、
前記投影レンズを介して投影される光の光軸と、前記リフレクタを介して照射される光の光軸が異なる方向であることを特徴とする車両用灯具。
（２）  前記光源バルブは、車両幅方向に沿って配置されていることを特徴とする（１）に記載の車両用灯具。
（３）  前記投影レンズを介して投影される光の光軸は、車両前後方向に対し、１０度〜２０度の角度を為すことを特徴とする（１）または（２）に記載の車両用灯具。
（４）  前記リフレクタを介して照射される光は、車両前後方向に対し４度〜８０度拡散した拡散光となるように照射されることを特徴とする（１）〜（３）の何れか一項に記載の車両用灯具。
【発明の効果】
【００１０】
本発明の車両用灯具によれば、投影レンズを介して直接投影される光の光軸と、第１反射部材を介して照射される光の光軸と、第２反射部材を介して照射される光の光軸とがそれぞれ異なっており、幅広い角度範囲にわたって光を照射する。したがって、前方も斜め前方もまた側方も視認性の高い車両用灯具を提供することができる。また、本発明によれば、光源からの光を投影レンズを介して直接投影するように構成されているため、プロジェクタ型であっても光源と投影レンズの間の距離を短くした構成で特定の領域に強いスポット的な光を照射することが可能である。したがって、全体の長さが短いにもかかわらず明るい車両用灯具を提供することが可能である。
【００１１】
また、本発明によれば、光源バルブは、車両鉛直方向に対して略平行となるように配置されている。したがって、サイズ的に制限の多い側方または後方に光源バルブの取付部材を設けたり及び光源バルブの端部等が突出したりすることなく、すっきりしたレイアウトの車両用灯具を提供することができる。
【００１２】
本発明の車両用灯具では、投影レンズを介して直接投影される光の光軸が車両前後方向に対し為す角度は、第１反射部材を介して照射される光の光軸が車両前後方向に対し為す角度及び第２反射部材を介して照射される光の光軸が車両前後方向に対し為す角度よりも小さい。このように、二種類の光の光軸が、それぞれ、異なる角度方向にわたって照射されるため、前方も斜め前方もまた側方も視認性の高い車両用灯具を提供することができる。また、光源から出射して投影レンズを介して直接投影される光が、最も車両前後方向に近い角度に照射され、特定の領域に強いスポット的な光を照射するため、車両が中速域で走行している場合に、前方からの車両用灯具の視認性を高めるのに有効な照射角度に光を照射することができる。したがって、走行時視認性が高い車両用灯具を提供することが可能となる。
【００１３】
なお、投影レンズを介して直接投影される光の光軸は、車両前後方向に対し、１０度〜２０度の角度を為すことが好ましい。
また、リフレクタを介して照射される光は、車両前後方向に対し４度〜８０度拡散した拡散光となるように照射されることが好ましい。
【発明を実施するための最良の形態】
【００１４】
以下、添付図面を参照しながら、本発明に係る車両用灯具の実施形態について説明する。本実施形態では、車両用灯具として、ベンディングランプを例に挙げて説明する。
【００１５】
図１は車両の右前方に取り付けられる灯具ユニットを示す水平断面図であり、図２は図１のうち灯具ユニットのうちベンディングランプ部分のみを詳細に示す拡大水平断面図である。
【００１６】
本実施形態の灯具ユニット１は、図１に示すように、主としてランプボディ３と、ランプボディ３の開口部を覆う光透過性のカバー２とを備えている。ランプボディ３とカバー２との間はエクステンション４により仕切られて、４つの灯室１ａ，１ｂ，１ｃ，１ｄが形成されており、各灯室１ａ，１ｂ，１ｃ，１ｄにそれぞれ光源バルブ及びリフレクタ等が配置されて、それぞれ車両用灯具を構成している。
【００１７】
本実施形態では、灯室１ａにはフォグランプユニット５、灯室１ｂは走行ビームを照射する前照灯ユニット６、灯室１ｃはすれ違いビームを照射する前照灯ユニット７、そして灯室１ｄはベンディングランプ１０がそれぞれ配置されている。
【００１８】
以下、灯室１ｄに形成されたベンディングランプ１０について詳細に説明する。
ベンディングランプ１０は、車両右前方に取り付けられ、運転者の操作に応じて右折時に点灯して交差点コーナリング時の視認性を確保する前照灯である。ベンディングランプ１０は、図２に示すように、光源バルブ１２と、光源バルブ１２を覆うように設けられたリフレクタ１４と、光源バルブ１２の前方に設けられた投影レンズ１８とを備えている。
【００１９】
光源バルブ１２は、Ｈ７，ＨＢ４、Ｈ１１等のハロゲンバルブまたはＤ２Ｒ等の放電バルブであり、図３では、バルブ管１２ｂ内部の放電部により構成される光源１２ａから光を出射する放電バルブが例示されている。光源バルブ１２は、リフレクタ１４の車両幅方向に開口した貫通孔２２にリフレクタ１４の側面から車両幅方向に沿って差し込まれて固定されている。これにより、光源バルブ１２は、バルブ管１２ｂの軸方向が車両幅方向に略平行となるように固定され、かつ光源１２ａが投影レンズ１８の後方焦点群中の一点Ｐ近傍に配置される。
【００２０】
リフレクタ１４は、図２に示すように、例えば鉛直断面形状が略放物面形状であり、水平断面形状が光を拡散させるように構成された自由曲面形状を有する反射面１４ａを内周面側に備えている。反射面１４ａの焦点は略光源１２ａに位置決めされており、反射面１４ａは光源１２ａから出射した光を反射して左斜め前方に反射される。リフレクタ１４から出射される光は、反射面１４ａの自由断面形状に応じて水平方向に適宜拡散されて照射される。
【００２１】
投影レンズ１８は、車両前方側に非球面形状の凸面、そして車両後方側に平面を有する凸レンズである。この投影レンズ１８の中心軸Ｌｘは、車両前後方向Ｖｘに平行であり、かつ光源１２ａを通る車両前後方向Ｖｘと平行な直線から車両外側（図２では、左側）にずれた位置でレンズホルダ１９を介してリフレクタ１４に固定されている。
【００２２】
投影レンズ１８は、リフレクタ１４内部に設けられた光源バルブ１２の光源１２ａから出射した光を直接前方に投影するレンズである。投影レンズ１８は、図２に示すように、投影レンズ１８の後方焦点Ｐが光源バルブ１２の光源１２ａ近傍に配置されるように位置決めされる。投影レンズ１８は、この光源バルブ１２ａから出射し投影レンズ１８の後方焦点Ｐ近傍を経て投影レンズ１８によって投影される光を、略平行光として前方に照射する。すなわち、本実施形態の光源１２ａと投影レンズ１８により、反射鏡を用いないプロジェクタ型ランプが構成されている。
【００２３】
次に、本実施形態のベンディングランプ１０から出射する光の光路及び配光パターンについて、図３を参照しながら説明する。
図３は、本実施形態のベンディングランプ１０から出射される光の光路図であり、図４は、ベンディングランプ１０によって投影される光の配光パターンを示す図である。
【００２４】
本実施形態のベンディングランプ１０は、光源１２ａからの光が大きく分けて２種類の光路を通って車両外に照射される。
【００２５】
まず、第１の光路は、光源１２ａから投影レンズ１８に直接入射し、前方に投影されるパターンである。図３にて実線の矢印にて示すように、光源１２ａを出射した光の一部は、投影レンズ１８の後方焦点Ｐ近傍を通って、投影レンズ１８に直接入射し、光線群Ｌ１として前方に照射される。
【００２６】
本実施形態では、光源１２ａは、投影レンズ１８のレンズ中心軸Ｌｘよりもわずかに左側に設置されており、投影レンズ１８を透過した光は、投影レンズ１８のレンズ中心軸Ｌｘよりも多少右側に向かって投影される。この光線群Ｌ１の光軸が、水平面内において車両進行方向と為す角度は、例えば１０度〜２０度である。本実施形態では、光軸が１０度に調整され、図４に示すように略４度から１６度の範囲に光が収束した光度の高い配光パターン３０を形成するように構成されている。
【００２７】
次に、第２の光路は、光源１２ａから出射してリフレクタ１４の反射面１４ａにて反射して前方に投影されるパターンである。図３にて破線で示すように、光源１２ａを出射する光の一部は後方側に向かって照射され、リフレクタ１４の反射面１４ａにて反射する。反射面１４ａにて反射された光は、光線群Ｌ２として車両の斜め前方左方向に照射される。この投影レンズ１８によって前方に照射されるこの光線群Ｌ２の光軸が車両進行方向と為す角度は、光線群Ｌ１の光軸が水平面内において車両進行方向と為す角度よりも大きく、すなわち光線群Ｌ１よりもより側方の範囲を照射するように設定されている。本実施形態では、図４に示すように略４度〜８０度程度の範囲に光がある程度拡散した配光パターン３１を形成するように構成されている。この配光パターン３１は、配光パターン３０に重ねて照射され、配光パターン３０を含む側方の広い範囲を照射するように構成されている。
【００２８】
まとめると、図４にしめすように、本実施形態のベンディングランプ１０では、配光パターン３０により略４度から１６度の範囲に高い光度の光が照射され、配光パターン３１により略４度〜８０度の範囲に光が照射される。配光パターン３０は、車両が中速域（例えば２０〜４０ｋｍ）で走行している場合に、ベンディングランプ１０により前方視認性を高めるのに有効な照射角度である。したがって、車両が旋回のためにある程度減速しベンディングランプ１０を点灯したときに、更なる前方視認性が確保される。一方、配光パターン３１は、車両が低速（例えば２０ｋｍ以下）で走行しているときにベンディングランプ１０の視認性を高めるのに有効な照射角度である。したがって、車両が十分に低速となった場合でも、ベンディングランプ１０を点灯したときに、側方の視認性が向上する。このように、本実施形態のベンディングランプ１０は、ベンディングランプが使用されやすい低速域から中速域にわたって視認性の高い灯具であるといえる。
【００２９】
以上、説明したように、本実施形態のベンディングランプ１０は、ランプボディ３とカバー２により形成された灯室１ｄ内に、光を出射する光源１２ａを備えた光源バルブ１２と、光源１２ａから出射した光を反射するリフレクタ１４と、光源光を直接前方に投影する投影レンズ１８と、を備えている。ここで、リフレクタ１４は、光源１２ａからの光を直接車両外に照射する。そして、投影レンズ１８を介して直接投影される光線群Ｌ１の光軸と、リフレクタ１４を介して照射される光線群Ｌ２の光軸とがそれぞれ異なっている。
【００３０】
このように、本実施形態のベンディングランプ１０によれば、投影レンズ１８を介して直接投影される光線群Ｌ１の光軸と、リフレクタ１４を介して照射される光線群Ｌ２の光軸とがそれぞれ異なっており、幅広い角度範囲にわたって光を照射する。したがって、前方も斜め前方もまた側方も視認性の高いベンディングランプ１０を提供することができる。
【００３１】
また、本実施形態のベンディングランプ１０では、投影レンズ１８を介して直接投影される光線群Ｌ１の光軸が車両前後方向に対し為す角度は、リフレクタ１４介して照射される光線群Ｌ２の光軸が車両前後方向に対し為す角度よりも小さい。このように、二種類の光線群Ｌ１，Ｌ２は、それぞれ、異なる角度方向にわたって照射されるため、前方も斜め前方もまた側方も視認性の高いベンディングランプ１０を提供することができる。
【００３２】
また、本実施形態のベンディングランプ１０では、光線群Ｌ１は、光源１２ａから出射して投影レンズ１８を介して直接投影されるため、プロジェクタ型であっても光源１２ａと投影レンズ１８の間の距離を短くした構成で特定の領域に強いスポット的な光を照射することができる。本実施形態では、この光線群Ｌ１は、車両進行方向に対して４度〜１６度の方向に照射されるが、この方向は、車両が中速域（例えば２０〜４０ｋｍ）で走行している場合に、前方からのベンディングランプ１０の視認性を高めるのに有効な照射角度である。したがって、車両が旋回のためにある程度減速しベンディングランプ１０を点灯したときに、前方への視認性を向上させたベンディングランプ１０を提供することが可能となる。
【００３３】
また、本実施形態のベンディングランプ１０では、光源バルブ１２は、車両幅方向に対して略平行となるように側方から差し込み配置されている。したがって、サイズ的に制限の多い後方に光源バルブの取付部材を設けたり、また光源バルブ１２の端部等が突出したりすることなく、すっきりしたレイアウトのベンディングランプ１０を提供することができる。
【００３４】
また、本実施形態のベンディングランプ１０では、投影レンズ１８を介して前方に投影するプロジェクタ型であるが、光源１２ａからの光を直接投影レンズ１８に入射させる。したがって、投影レンズ１８に光を入射させるためのリフレクタが不要であり、コンパクトな構成でプロジェクタ型の光投影を行うことができる。
【００３５】
なお、上記説明では、配光パターン３１は、略４°から８０°の範囲にわたって照射されるとしたが、これに限られることはなく、配光パターン３０を覆うように適宜照射されて幅広い範囲に光が行き渡るように構成してもよい。
【００３６】
なお、上記実施形態では、前方右側に取り付けられるベンディングランプを例に挙げて説明を行ったが、他の部位に取り付けられるベンディングランプに応用してもよい。また、ベンディングランプに限られず、コーナリング、フォグランプ等その他の前照灯に適用してもよい。
【図面の簡単な説明】
【００３７】
【図１】車両の右前方に取り付けられる灯具ユニットを示す水平断面図である。
【図２】図１のうち灯具ユニットのうちベンディングランプ部分のみを詳細に示す拡大水平断面図である。
【図３】本実施形態のベンディングランプから出射される光の光路図である。
【図４】ベンディングランプによって投影される光の配光パターンを示す図である。
【符号の説明】
【００３８】
１  灯具ユニット
２  カバー
３  ランプボディ
４  エクステンション
１ａ，１ｂ，１ｃ，１ｄ  灯室
１０  ベンディングランプ
１２  光源バルブ
１４  リフレクタ
１８  投影レンズ
【図１】
2006260824.tif 000003
【図２】
2006260824.tif 000004
【図３】
2006260824.tif 000005
【図４】
2006260824.tif 000006